【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
鉄粉、炭素成分、反応促進剤、水を必須成分とし、余剰水値が０であり、且つ、立ち上がり昇温速度が１２℃／５分以上である含水発熱組成物及び複数の区分発熱部領域と区分け部が一体化され、少なくとも一部は通気性を有する収納体を備え、該含水発熱組成物が収納された区分発熱部領域である区分発熱部と発熱組成物の非収納領域であり、蝶番である区分け部がー体化され、複数の区分発熱部が区分け部を間隔として、間隔をおいて設けられ、少なくとも一部は通気性を有し、該収納体の区分発熱部領域と区分け部を横切る長手方向の少なくとも一つのループスティフネスが７００ｍＮ／ｃｍ以下であり、構造的柔軟機能と関節的柔軟機能とに基づく柔軟性を有することを特徴とする発熱体。    
【請求項２】
前記収納体の区分発熱部領域と区分け部を横切る長手方向の少なくとも一つのループスティフネスが７００ｍＮ／ｃｍ以下であり、少なくとも一つの前記区分け部の、２５℃における最大引張強度が２０ｇ／ｍｍ幅以上であり、２５℃における破断伸びが５％以上であることを特徴とする請求項１に記載の発熱体。    
【請求項３】
前記含水発熱組成物を有する発熱体が、区分発熱部発熱体、剛軟発熱体、ストライプ発熱体、切り離し自在発熱体、伸縮発熱体、バンド発熱体、トンネル通気発熱体、薬剤発熱体、切り離し自在トンネル通気発熱体、切り離し自在薬剤発熱体、目温発熱体、顔温発熱体、外袋付き外仮着折り畳み発熱体から選ばれた一種であり、該含水発熱組成物が鉄粉、炭素成分、反応促進剤、水を必須成分とし、余剰水値が０であり、且つ、立ち上がり昇温速度が１２℃／５分以上であり、前記発熱体を構成する収納体の区分発熱部領域とシール領域である区分け部を横切る長手方向の少なくとも一つのループスティフネスが７００ｍＮ／ｃｍ以下であり、且つ、少なくとも一つの前記区分け部の、２５℃における最大引張強度が２０ｇ／ｍｍ幅以上であり、２５℃における破断伸びが５％以上であり、発熱体の最小剛軟度が７０ｍｍ以下であり、最小剛軟度差が０ｍｍ以下であることを特徴とする請求項１に記載の発熱体。
【請求項４】
鉄粉、炭素成分、反応促進剤、水を必須成分とする発熱組成物が収納される領域である区分発熱部領域と発熱組成物の非収納領域であり、シール領域である区分け部が一体化され、複数の区分発熱部領域が区分け部を間隔として、間隔をおいて設けられ、少なくとも一部は通気性を有し、該収納体の区分発熱部領域と区分け部を横切る長手方向の少なくともーつのループスティフネスが７００ｍＮ／ｃｍ以下であることを特徴とする発熱体用収納体。
【請求項５】
区分発熱部領域と連結部である区分け部領域からなる構造を有する収納体の、区分発熱部領域に鉄粉、炭素成分、反応促進剤、水を必須成分とする、余剰水値が０．５〜８０の含余剰水発熱組成物を成形した発熱組成物成形体を収納し、複数の区分発熱部が、蝶番である区分け部を間隔として、間隔をおいて設けられ、区分発熱部の少なくとも一部は通気性を有し、該収納体の区分発熱部領域と区分け部を横切る長手方向の少なくとも一つのループスティフネスが７００ｍＮ／ｃｍ以下であり、構造的柔軟機能と関節的柔軟機能とに基づく柔軟性を有する発熱前駆体を、透湿度０．１〜６．０ｇ／（ｍ２・ｄａｙ）の包材から構成される収納体である外袋に封入し、損傷を受けない自然環境下、及び、保持温度が１〜８０℃且つ保持湿度９５％以下の制御環境下から選ばれた一種の環境下で保持し、その保持期間を２５時間〜２年間とすることにより、鉄粉、炭素成分、反応促進剤、水を必須成分とし、余剰水値が０であり、且つ、立ち上がり昇温速度が１２℃／５分以上である含水発熱組成物を収納する区分発熱部と蝶番である区分け部が一体化され、複数の区分発熱部が区分け部を間隔として、間隔をおいて設けられ、発熱体の少なくとも一部は通気性を有し、該収納体の区分発熱部領域と区分け部を横切る長手方向の少なくともーつのループスティフネスが７００ｍＮ／ｃｍ以下であり、構造的柔軟機能と関節的柔軟機能とに基づく柔軟性を有する発熱体を製造することを特徴とする発熱体の製造方法。
【手続補正２】
【補正対象書類名】明細書
【補正対象項目名】０００９
【補正方法】変更
【補正の内容】
【０００９】
本発明者は、これらの課題を解決すべく鋭意研究を重ねた結果、本発明に到達した。  
即ち、本発明の発熱体は、請求項１に記載の通り、  鉄粉、炭素成分、反応促進剤、水を必須成分とし、余剰水値が０であり、且つ、立ち上がり昇温速度が１２℃／５分以上である含水発熱組成物及び複数の区分発熱部領域と区分け部が一体化され、少なくとも一部は通気性を有する収納体を備え、該含水発熱組成物が収納された区分発熱部領域である区分発熱部と発熱組成物の非収納領域であり、蝶番である区分け部がー体化され、複数の区分発熱部が区分け部を間隔として、間隔をおいて設けられ、少なくとも一部は通気性を有し、該収納体の区分発熱部領域と区分け部を横切る長手方向の少なくとも一つのループスティフネスが７００ｍＮ／ｃｍ以下であり、構造的柔軟機能と関節的柔軟機能とに基づく柔軟性を有することを特徴とする。
また、請求項２に記載の発熱体は、請求項１に記載の発熱体において、  前記収納体の区分発熱部領域と区分け部を横切る長手方向の少なくとも一つのループスティフネスが７００ｍＮ／ｃｍ以下であり、少なくとも一つの前記区分け部の、２５℃における最大引張強度が２０ｇ／ｍｍ幅以上であり、２５℃における破断伸びが５％以上であることを特徴とする。
また、請求項３に記載の発熱体は、請求項１に記載の発熱体において、  前記含水発熱組成物を有する発熱体が、区分発熱部発熱体、剛軟発熱体、ストライプ発熱体、切り離し自在発熱体、伸縮発熱体、バンド発熱体、トンネル通気発熱体、薬剤発熱体、切り離し自在トンネル通気発熱体、切り離し自在薬剤発熱体、目温発熱体、顔温発熱体、外袋付き外仮着折り畳み発熱体から選ばれた一種であり、該含水発熱組成物が鉄粉、炭素成分、反応促進剤、水を必須成分とし、余剰水値が０であり、且つ、立ち上がり昇温速度が１２℃／５分以上であり、前記発熱体を構成する収納体の区分発熱部領域とシール領域である区分け部を横切る長手方向の少なくとも一つのループスティフネスが７００ｍＮ／ｃｍ以下であり、且つ、少なくとも一つの前記区分け部の、２５℃における最大引張強度が２０ｇ／ｍｍ幅以上であり、２５℃における破断伸びが５％以上であり、発熱体の最小剛軟度が７０ｍｍ以下であり、最小剛軟度差が０ｍｍ以下であることを特徴とする。
また、本発明の発熱体用収納体は、請求項４に記載の通り、  鉄粉、炭素成分、反応促進剤、水を必須成分とする発熱組成物が収納される領域である区分発熱部領域と発熱組成物の非収納領域であり、シール領域である区分け部が一体化され、複数の区分発熱部領域が区分け部を間隔として、間隔をおいて設けられ、少なくとも一部は通気性を有し、該収納体の区分発熱部領域と区分け部を横切る長手方向の少なくともーつのループスティフネスが７００ｍＮ／ｃｍ以下であることを特徴とする。
また、本発明の発熱体の製造方法は、請求項５に記載の通り、 区分発熱部領域と連結部である区分け部領域からなる構造を有する収納体の、区分発熱部領域に鉄粉、炭素成分、反応促進剤、水を必須成分とする、余剰水値が０．５〜８０の含余剰水発熱組成物を成形した発熱組成物成形体を収納し、複数の区分発熱部が、蝶番である区分け部を間隔として、間隔をおいて設けられ、区分発熱部の少なくとも一部は通気性を有し、該収納体の区分発熱部領域と区分け部を横切る長手方向の少なくとも一つのループスティフネスが７００ｍＮ／ｃｍ以下であり、構造的柔軟機能と関節的柔軟機能とに基づく柔軟性を有する発熱前駆体を、透湿度０．１〜６．０ｇ／（ｍ２・ｄａｙ）の包材から構成される収納体である外袋に封入し、損傷を受けない自然環境下、及び、保持温度が１〜８０℃且つ保持湿度９５％以下の制御環境下から選ばれた一種の環境下で保持し、その保持期間を２５時間〜２年間とすることにより、鉄粉、炭素成分、反応促進剤、水を必須成分とし、余剰水値が０であり、且つ、立ち上がり昇温速度が１２℃／５分以上である含水発熱組成物を収納する区分発熱部と蝶番である区分け部が一体化され、複数の区分発熱部が区分け部を間隔として、間隔をおいて設けられ、発熱体の少なくとも一部は通気性を有し、該収納体の区分発熱部領域と区分け部を横切る長手方向の少なくともーつのループスティフネスが７００ｍＮ／ｃｍ以下であり、構造的柔軟機能と関節的柔軟機能とに基づく柔軟性を有する発熱体を製造することを特徴とする。
また、上記発熱体において、前記収納体の区分発熱部領域と区分け部を横切る長手方向の少なくとも一つのループスティフネスが７００ｍＮ／ｃｍ以下であり、少なくともーつの前記区分け部のループスティフネスが７００ｍＮ／ｃｍ以下であることが好ましい。  また、上記発熱体において、前記収納体の区分発熱部領域とシール領域である区分け部を横切る長手方向の少なくともーつのループスティフネスが７００ｍＮ／ｃｍ以下であり、少なくとも前記区分け部の一部の一部領域に間欠的な切り込みが設けられていることが好ましい。
また、上記発熱体において、前記収納体の区分発熱部領域とシール領域である区分け部を横切る長手方向の少なくともーつのループスティフネスが７００ｍＮ／ｃｍ以下であり、前記各区分発熱部の少なくとも一部が局所通気材で覆われ、区分発熱部の通気側と区分け部と局所通気材により囲まれた空間部を有し、少なくとも区分発熱部の空間部に面した側面通気部より発熱組成物ヘの通気が行われることが好ましい。
また、上記発熱体において、前記収納体の区分発熱部領域とシール領域である区分け部を横切る長手方向の少なくともーつのループスティフネスが７００ｍＮ／ｃｍ以下であり、発熱体の最小剛軟度が７０ｍｍ以下であり、該最小剛軟度変化が−９５〜０であり、構造的柔軟機能と関節的柔軟機能とに基づく柔軟性を有することが好ましい。
また、上記発熱体において、発熱終丁後の発熱体を構成する収納体の区分発熱部領域とシール領域である区分け部を横切る長手方向の少なくとも一つのループスティフネスが７００ｍＮ／ｃｍ以下であることが好ましい。
また、上記発熱体において、  鉄粉、炭素成分、反応促進剤、水を必須成分とする含水発熱組成物を含有する、複数の区分発熱部がシール部である区分け部を間隔として、間隔を置いて設けられた発熱部を有する発熱体であって、該含水発熱組成物の余剰水値が０であり、且つ、立ち上がり昇温速度が４０℃／５分以上であり、発熱体の最小剛軟度が７０ｍｍ以下であり、最小剛軟度変化が−９５〜０であることが好ましい。  
また、上記発熱体用収納体において、前記収納体の少なくとも一つの前記区分け部の、２５℃における最大引張強度が２０ｇ／ｍｍ幅以上であり、２５℃における破断伸びが５％以上であることが好ましい。
また、上記発熱体の製造方法において、区分発熱部領域と連結部である区分け部領域からなる構造を有する収納体の、区分発熱部領域に鉄粉、炭素成分、反応促進剤、水を必須成分とする、余剰水値が０．５〜８０の含余剰水発熱組成物を成形した発熱組成物成形体を収納し、複数の区分発熱部が、蝶番である区分け部を間隔として、間隔をおいて設けられ、区分発熱部の少なくとも一部は通気性を有し、該収納体の区分発熱部領域と区分け部を横切る長手方向の少なくとも一つのループスティフネスが７００ｍＮ／ｃｍ以下であり、構造的柔軟機能と関節的柔軟機能とに基づく柔軟性を有する発熱前駆体を、透湿度０．１〜６．０ｇ／（ｍ２・ｄａｙ）であり、酸素透過度が０．０５〜１０ｍ１／（ｍ２・ｄａｙ）の包材から構成される収納体である外袋に封入し、損傷を受けない自然環境下、及び、保持温度が１〜８０℃且つ保持湿度９５％以下の制御環境下から選ばれたー種の環境下で保持し、その保持期間を２５時間〜２年間とすることにより、鉄粉、炭素成分、反応促進剤、水を必須成分とし、余剰水値が０であり、且つ、立ち上がり昇温速度が４０℃／５分以上である含水発熱組成物を収納する区分発熱部と蝶番である区分け部が一体化され、複数の区分発熱部が区分け部を間隔として、間隔をおいて設けられ、発熱体の少なくとも一部は通気性を有し、該収納体の区分発熱部領域と区分け部を横切る長手方向の少なくとも一つのループスティフネスが７００ｍＮ／ｃｍ以下であり、構造的柔軟機能と関節的柔軟機能とに基づく柔軟性を有する発熱体を製造することが好ましい。